(57)【要約】    【課題】子機のカメラにて撮像された映像であり親機のメモリに保存されている静止画像若しくは動画像としての録画データを再生または消去するにあたり防犯性を高めるとともに、メモリから消去させた録画データの情報や履歴を容易に確認できるようにする。    【解決手段】子機１のカメラ１１にて撮像された映像であり親機２のメモリ２４に静止画像若しくは動画像として保存されている録画データを当該メモリから消去するにあたって、親機の操作部２９にて行われた消去操作により録画データが消去された日時、消去方法、消去された録画映像の枚数、その消去された録画映像が録画された日時、録画の方法、録画映像の枚数等の消去情報、または消去された録画情報として消去操作された履歴をメモリに保存するとともに、消去操作またはメモリに保存されている録画データをモニタ２５に出画させる再生操作してパスワードの入力を必須とする。また、メモリに保存させた情報や履歴をモニタへと容易に表示可能とする。  【選択図】図１
2006254315.tif 000002
【特許請求の範囲】
【請求項１】
子機（１）のカメラ（１１）にて撮像された映像を親機（２）のモニタ（２５）に出画させ、前記カメラにて撮像された映像を前記親機の操作部（２９）の操作により前記親機のメモリ（２４）に静止画像若しくは動画像として保存するテレビドアホン装置であって、
前記親機の前記操作部の操作により前記メモリに保存されている録画データを消去する場合に、消去された日時、消去方法、消去された録画映像の枚数、その消去された録画映像が録画された日時、録画の方法、録画映像の枚数等の消去情報、または消去された録画情報として消去操作された履歴を前記メモリに保存することを特徴とするテレビドアホン装置。
【請求項２】
前記親機の前記メモリに保存されている録画データの再生または消去を行う場合に、前記操作部を操作し、パスワードを入力することを特徴とする請求項１記載のテレビドアホン装置。
【発明の詳細な説明】
【技術分野】
【０００１】
本発明はテレビドアホン装置に係り、特に、子機のカメラにて撮像された映像であり親機のメモリに保存されている静止画像若しくは動画像としての録画データを再生または消去することができるテレビドアホン装置に関する。
【背景技術】
【０００２】
従来から、この種のテレビドアホン装置として、マンション等の集合住宅の玄関に設置されている集合玄関機を使用した来訪者からの呼び出し、または住戸玄関に設置されていれいる住戸子機を使用した来訪者からの呼び出しに外出等の理由で居住者が応答できない場合に、来訪者の画像（映像）を住戸内端末機のメモリに録画することができるばかりでなく、メモリの容量を有効に使用することができる住宅情報システムが開示されている（例えば、特許文献１を参照。）。
【０００３】
【特許文献１】特開２００２−１１１８８３号公報（段落番号００１８〜００６９、図１〜図５）
【発明の開示】
【発明が解決しようとする課題】
【０００４】
近年、集合住宅のみならず戸建住宅において住戸内へと不法に侵入しようとする不審者は、集合玄関機または住戸子機にて呼出操作を行い住戸内端末機を呼び出し、この呼び出しに対する居住者の応答の有無により当該居住者が住戸内に在室中であるのか、或いは外出等の理由で不在であるのかを判断した後、不在である場合にのみ住戸内へと侵入していた。
【０００５】
しかしながら、従来例の住宅情報システムを適用するにあたり、前述のような呼出操作が行われると、集合玄関機のカメラまたは住戸子機のカメラにて撮像された画像（映像）が住戸内端末機のメモリに録画されるが、その録画データは、住戸内へと不法に侵入した不審者が住戸内端末機にて所定の再生操作を行うことにより、モニタへと容易に出画できるばかりでなく、この不審者が所定の消去操作を行うと、自らが映し出されている録画データを容易に消去できることから、侵入の痕跡を何ら残さずに不審者が立ち去る可能性もあり、外出先から住戸内に帰宅した居住者は、住戸内へと不法に侵入した不審者に気づかない虞があった。
【０００６】
さらに、集合玄関機のカメラまたは住戸子機のカメラにて撮像された画像（映像）を録画する住戸内端末機のメモリの容量の上限を超え、過去の録画データが消去されるように更新された場合、消去された過去の録画データが存在していたことは、情報や履歴として何ら残らなかった。
【０００７】
本発明は、前述の難点を解消するためになされたもので、子機のカメラにて撮像された映像であり親機のメモリに保存されている静止画像若しくは動画像としての録画データを再生または消去するにあたり防犯性を高めるとともに、メモリから消去させた録画データの情報や履歴を容易に確認できるテレビドアホン装置を提供することを目的としている。
【課題を解決するための手段】
【０００８】
前述の目的を達成するため、本発明の第１の態様であるテレビドアホン装置は、子機のカメラにて撮像された映像を親機のモニタに出画させ、カメラにて撮像された映像を親機の操作部の操作により親機のメモリに静止画像若しくは動画像として保存する当該装置である。親機の操作部の操作によりメモリに保存されている録画データを消去する場合に、消去された日時、消去方法、消去された録画映像の枚数、その消去された録画映像が録画された日時、録画の方法、録画映像の枚数等の消去情報、または消去された録画情報として消去操作された履歴をメモリに保存するものである。
【０００９】
また、本発明の第２の態様は、本発明の第１の態様であるテレビドアホン装置において、親機のメモリに保存されている録画データの再生または消去を行う場合に、操作部を操作し、パスワードを入力するものである。
【発明の効果】
【００１０】
本発明のテレビドアホン装置によれば、子機のカメラにて撮像された映像であり親機のメモリに静止画像若しくは動画像として保存されている録画データを当該メモリから消去するにあたって、親機の操作部にて行われた消去操作により録画データが消去された日時、消去方法、消去された録画映像の枚数、その消去された録画映像が録画された日時、録画の方法、録画映像の枚数等の消去情報、または消去された録画情報として消去操作された履歴をメモリに保存することができるばかりでなく、前述の消去操作またはメモリに保存されている録画データをモニタに出画させる再生操作してパスワードの入力が必須となることから、このパスワードを知り得ない住戸内へと不法に侵入した不審者にとっては、自らの映像が映し出されている録画データの再生および消去が困難となり防犯性が高められる。
【００１１】
また、録画データを保存する親機のメモリの容量の上限を超え、過去の録画データが消去されるように更新された場合であっても、消去された過去の録画データが存在していたことの情報や履歴をメモリに保存させることができるばかりでなく、この情報や履歴は、モニタに表示させることにより容易に確認できる。
【発明を実施するための最良の形態】
【００１２】
以下、本発明のテレビドアホン装置を適用した最良の実施の形態例について、図面を参照して説明する。
【００１３】
図１は、本発明の実施例によるテレビドアホン装置の具体的な構成を示すブロック図である。
【００１４】
図１のブロック図に示すテレビドアホン装置は、通常、玄関（住戸玄関と同意。）に設置され、来訪者が住戸内に在室中の居住者を呼び出して通話を成立させるための子機１と、住戸内に設置され、伝送線路Ｌ1を介して接続された子機１からの呼び出し、すなわち、来訪者からの呼び出しが報知され、この呼び出しに応答した居住者が来訪者との間で通話を成立させるための親機２とから構成されている。
【００１５】
また、子機１には、来訪者が呼出操作を行うための呼出ボタン１０と、呼出操作を行った来訪者や玄関先の周囲近傍の映像を撮像するためのＣＣＤ（Charge Coupled Device）撮像素子、ＣＭＯＳ（Complementary Metal Oxide Semiconductor）撮像素子等のカメラ１１と、カメラ１１にて撮像された映像を信号処理、例えば、ＦＭ変調するための映像処理回路（以下、子機映像処理回路という。）１２と、来訪者が居住者との間で通話を成立させるにあたり送話音声を入力するためのマイク（以下、子機マイクという。）１３と、子機マイク１３とともに来訪者が通話を成立させるにあたり使用し、居住者からの音声である受話音声を出力（放音）するためのスピーカ（以下、子機スピーカという。）１４と、子機マイク１３に入力された送話音声であり信号処理された音声信号を４線／２線変換や増幅する一方、子機スピーカ１４から出力（放音）される受話音声である音声信号を２線／４線変換や増幅するための通話回路（以下、子機通話回路という。）１５と、親機２の後述する電源回路２１からの直流電源の電源供給を受電し、受電された直流電源を当該子機の構成各部／回路の待受電源および動作電源としてそれぞれ電源供給するための電源回路（以下、子機電源回路という。）１６と、子機映像処理回路１２、子機通話回路１５、子機電源回路１６の各回路および伝送線路Ｌ1の間の信号伝送ライン、電源供給ラインをそれぞれ形成するためのインターフェース回路（以下、子機Ｉ／Ｆという。）１７とを有している。
【００１６】
さらに、親機２には、当該親機の構成各部／回路をそれぞれ制御するとともに計時機能が備えられたＣＰＵ（Central Processing Unit、以下、親機ＣＰＵという。）２０と、商用電源を整流／平滑させた直流電源および／または予め蓄電されている直流電源を、当該親機の構成各部／回路および子機１の構成各部／回路の待受電源および動作電源としてそれぞれ電源供給するための電源回路（以下、親機電源回路という。）２１と、子機１の子機映像処理回路１２を介してＦＭ変調された後、伝送線路Ｌ1を伝送されてくる映像変調信号をＦＭ復調するための映像処理回路（以下、親機映像処理回路という。）２２と、親機映像処理回路２２を介してＦＭ復調された映像信号を圧縮するとともに、後述するメモリ２４から読み出された録画データを伸張するための録画回路２３と、録画回路２３を介して圧縮された録画データを静止画像若しくは動画像として保存するためのＲＡＭ（Random Access Memory）、ＥＥＰＲＯＭ（Electrically Erasable Programmable Read Only Memory）等のメモリ２４と、親機映像処理回路２２を介して復調された映像信号、またはメモリ２４から読み出され録画回路２３を介して伸張された録画データをもとに、子機１のカメラ１１にて撮像された映像を静止画像若しくは動画像として出画するとともに、メモリ２４から消去させた録画データの後述する情報や履歴を表示するためのＬＣＤ（Liquid Crystal Display）、有機ＥＬ（Electro Luminescence）ディスプレイ等のモニタ２５と、子機１の呼出ボタン１０が操作された旨、すなわち、来訪者からの呼び出しがある旨の呼出音（音声メッセージを含む。）を出力（放音）するとともに、居住者が来訪者との間で通話を成立させるにあたり当該来訪者からの音声である受話音声が出力（放音）されるスピーカ（以下、親機スピーカという。）２６と、親機スピーカ２６とともに居住者が通話を成立させるにあたり使用し、送話音声を入力するためのするマイク（以下、親機マイクという。）２７と、親機マイク２７に入力された送話音声であり信号処理された音声信号を４線／２線変換や増幅する一方、親機スピーカ２６から出力（放音）される受話音声である音声信号を２線／４線変換や増幅するための通話回路（以下、親機通話回路という。）２８と、来訪者からの呼び出しを確認した居住者が当該来訪者との間で通話を成立させるための応答操作を行うとともに、メモリ２４に保存させる録画データの選択操作や当該メモリに保存されている録画データを消去させるような消去操作、居住者が外出等で住戸内を不在とする前の留守設定等が行われるキーボタン、タッチパネル等の操作部２９と、親機ＣＰＵ２０、親機電源回路２１、親機映像処理回路２２、親機通話回路２８の各回路および伝送線路Ｌ1の間の信号伝送ライン、電源供給ラインをそれぞれ形成するためのインターフェース回路（以下、親機Ｉ／Ｆという。）３０とを有している。
【００１７】
このように構成された本発明の実施例によるテレビドアホン装置において、以下、具体的な動作について説明する。
【００１８】
図１のブロック図に示すテレビドアホン装置が待受状態、すなわち、玄関に来訪者が居らず子機１の呼出ボタン１０も操作されていない状態において、親機２の親機電源回路２１は、商用電源（図示せず）について整流／平滑させた直流電源および／または予め蓄電されている直流電源を、所定の電圧レベルの待受電源として、当該親機の構成各部／回路と親機Ｉ／Ｆ３０、伝送線路Ｌ1、子機１の子機Ｉ／Ｆ１７を介して子機電源回路１６とにそれぞれ電源供給している。
【００１９】
また、子機１の子機電源回路１６は、親機２（の親機電源回路２１）からの電源供給を受電し、所定の電圧レベルの待受電源として、当該子機の構成各部／回路にそれぞれ電源供給する。
【００２０】
次に、前述のような待受状態において、住戸内に在室中の居住者を呼び出すため、玄関に居る来訪者が子機１の呼出ボタン１０を操作すると、子機Ｉ／Ｆ１７および親機２の親機Ｉ／Ｆ３０の間を接続する伝送線路Ｌ1に予め重畳されている待受電源の電圧レベルが電圧降下し、この電圧降下をもとに来訪者からの呼び出しがあることを検出した親機ＣＰＵ２０は、その旨の呼出音（音声メッセージを含む。）を親機スピーカ２６から出力（放音）させるとともに、前述の待受電源よりも高い電圧レベルの動作電源が当該親機の構成各部／回路および子機１の構成各部／回路にそれぞれ電源供給されるように親機電源回路２１を制御するばかりでなく、親機映像処理回路２２およびモニタ２５がそれぞれ能動となるように制御する。
【００２１】
なお、来訪者による呼出操作が行われた子機１からの呼び出しを検出した親機２の親機ＣＰＵ２０は、その旨のメッセージをモニタ２５に表示させることもできる。
【００２２】
また、来訪者による呼出操作が行われた子機１からの呼び出しを検出した親機２の親機ＣＰＵ２０は、操作部２９を使用した居住者の操作により予め設定されている録画設定情報として、メモリ２４への録画方式が自動録画設定であるのか、或いは手動録画設定であるのかを判別し、自動録画設定である場合にのみ録画回路２３（およびメモリ２４）が能動となるように制御する。
【００２３】
子機１の子機電源回路１６は、親機２（の親機電源回路２１）からの待受電源の電圧レベルよりも高い電圧レベルの直流電源を受電し、当該子機の構成各部／回路にそれぞれ動作電源として電源供給する。
【００２４】
また、子機１の子機電源回路１６からの電源供給により駆動されたカメラ１１は、呼出操作を行った来訪者や玄関先の周囲近傍の映像の撮像を開始する。この映像は、電気信号に信号処理された映像信号として子機映像処理回路１２へと伝送される。
【００２５】
子機１の子機映像処理回路１２は、カメラ１１からの映像信号をＦＭ変調させた映像変調信号について、子機Ｉ／Ｆ１７、伝送線路Ｌ1、親機２の親機Ｉ／Ｆ３０を介して親機映像処理回路２２に出力する。
【００２６】
親機２の親機映像処理回路２２は、子機１（の子機映像処理回路１２）からの映像変調信号についてＦＭ復調させた映像信号を録画回路２３およびモニタ２５にそれぞれ出力することにより、子機１のカメラ１１にて撮像された映像、すなわち、呼出操作を行った来訪者や玄関先の周囲近傍の映像が静止画像若しくは動画像としてモニタ２５に出画されるとともに、前述のような自動録画設定の場合にのみ、録画回路２３を介して圧縮させた静止画像若しくは動画像としての録画データをメモリ２４に保存することができる。
【００２７】
なお、親機２のメモリ２４に自動録画で保存された録画データには、親機ＣＰＵ２０の制御により当該録画データの録画日時、自動録画である旨の録画の方法、録画映像の枚数等の録画情報が割り当てられている。
【００２８】
次に、前述のような呼出報知、すなわち、親機２の親機スピーカ２６からの呼出音（音声メッセージを含む。）の出力（放音）および呼出操作を行った来訪者や玄関先の周囲近傍の映像（メッセージを含む。）のモニタ２５への出画が行われたとき、居住者が住戸内に在室中であり、呼出操作を行った来訪者について当該来訪者の識別と併せて確認した後、操作部２９にて所定の応答操作を行うと、この応答操作を検出した親機ＣＰＵ２０は、計時機能が能動となり予め設定されている通話時間の計時を開始し、居住者が使用する親機スピーカ２６および親機マイク２７と、親機通話回路２８、親機Ｉ／Ｆ３０、伝送線路Ｌ1、子機１の子機Ｉ／Ｆ１７、子機通話回路１５を介して来訪者が使用する子機マイク１３および子機スピーカ１４との間の通話ラインが形成されるように親機通話回路２８を制御することにより、形成された前述の通話ラインを介して音声信号を送受信させることができ来訪者および居住者の間において通話が成立し、特に、居住者にとっては、モニタ２５に出画されている来訪者の映像を確認しながら通話を成立させることができる。
【００２９】
また、親機２の親機スピーカ２６および親機マイク２７と子機１の子機マイク１３および子機スピーカ１４との間の通話ラインが形成され、通話が成立しているとき、前述のような自動録画がなされていなかった場合、居住者は、必要に応じて操作部２９にて所定の手動録画設定を行うことができ、この設定操作を検出した親機ＣＰＵ２０は、録画回路２３（およびメモリ２４）が能動となるように制御し、録画回路２３を介して圧縮された静止画像若しくは動画像としての録画データをメモリ２４に保存させることができる。
【００３０】
なお、親機２のメモリ２４に手動録画で保存された録画データには、親機ＣＰＵ２０の制御により当該録画データの録画日時、手動録画である旨の録画の方法、録画映像の枚数等の録画情報が割り当てられている。
【００３１】
さらに、親機２の親機ＣＰＵ２０にて計時されている通話時間がタイムアップ、または操作部２９にて行われた居住者による所定の終話操作を検出した当該親機ＣＰＵは、親機通話回路２８を制御して前述の通話ラインを遮断させることにより、来訪者および居住者の間における通話は終了する。
【００３２】
次に、前述のように自動録画および／または手動録画で親機２のメモリ２４に保存させた録画データを再生するにあたって、居住者が操作部２９にて所定の再生起動操作を行うと、この再生起動操作を検出した親機ＣＰＵ２０は、（録画データの再生のための）パスワードの入力を居住者に要求するための画面（以下、再生用操作画面という。）をメモリ２４から読み出してモニタ２５に表示させる。
【００３３】
また、親機２のモニタ２５に表示されている再生用操作画面を確認した居住者が操作部２９にて住戸内へと不法に侵入しようとする不審者は知り得ない（録画データの再生のための）パスワードを入力すると、親機ＣＰＵ２０は、操作部２９にて入力された（録画データの再生のための）パスワードとメモリ２４に保存されている再生用パスワードとを照合する。
【００３４】
ここで、前述の比較結果としてパスワードが一致した場合、親機２の親機ＣＰＵ２０は、モニタ２５に出画させる静止画像若しくは動画像としての録画データの選択を居住者に要求するための画面（以下、再生画像選択要求画面という。）をメモリ２４から読み出してモニタ２５に表示させる。
【００３５】
さらに、親機２のモニタ２５に表示されている再生画像選択要求画面を確認した居住者が操作部２９にて所望の録画データを選択すると、この選択操作を検出した親機ＣＰＵ２０は、選択された録画データをメモリ２４から読み出し、読み出された録画データを録画回路２３を介して伸張させることにより、居住者により選択された静止画像若しくは動画像がモニタ２５に出画される。
【００３６】
一方、前述の比較結果としてパスワードが不一致であった場合、親機２の親機ＣＰＵ２０は、操作部２９における（録画データの再生のための）パスワード入力が居住者により行われたのではなく、再生用パスワードを知り得ない住戸内へと不法に侵入した不審者により行われたことを検出し、前述の再生画像選択要求画面をメモリ２４から読み出してモニタ２５に表示させることはなく、ゆえに、不審者自らの映像が映し出されている静止画像若しくは動画像としての録画データがモニタ２５に出画されることもないことから防犯性が高められる。
【００３７】
次に、前述のように自動録画および／または手動録画で親機２のメモリ２４に保存させた録画データを消去するにあたって、居住者が操作部２９にて所定の消去起動操作を行うと、この消去起動操作を検出した親機ＣＰＵ２０は、（録画データの消去のための）パスワードの入力を居住者に要求するための画面（以下、消去用操作画面という。）をメモリ２４から読み出してモニタ２５に表示させる。
【００３８】
また、親機２のモニタ２５に表示されている消去用操作画面を確認した居住者が操作部２９にて住戸内へと不法に侵入しようとする不審者は知り得ない（録画データの消去のための）パスワードを入力すると、親機ＣＰＵ２０は、操作部２９にて入力された（録画データの消去のための）パスワードとメモリ２４に保存されている消去用パスワードとを照合する。
【００３９】
ここで、前述の比較結果としてパスワードが一致した場合、親機２の親機ＣＰＵ２０は、メモリ２４から消去させる録画データの選択を居住者に要求するための画面（以下、消去画像選択要求画面という。）をメモリ２４から読み出してモニタ２５に表示させる。
【００４０】
さらに、親機２のモニタ２５に表示されている消去画像選択要求画面を確認した居住者が操作部２９にて所望の録画データを選択すると、この操作を検出した親機ＣＰＵ２０は、選択された録画データをメモリ２４から消去するとともに、消去された日時、１画面の消去、１訪問分の消去、録画データ全てを消去する一括消去の何れであるのか、当該メモリの録画保存領域の空き領域が無くなり過去の録画データを親機ＣＰＵ２０が自動的に判断して消去したのか等の消去方法、消去された録画映像の枚数、その消去された録画映像が録画された日時、自動録画または手動録画であるのかを示す録画の方法、録画映像の枚数等の消去情報、または消去された録画情報として消去操作された履歴をメモリ２４に保存させる。
【００４１】
一方、前述の比較結果としてパスワードが不一致であった場合、親機２の親機ＣＰＵ２０は、操作部２９における（録画データの消去のための）パスワード入力が居住者により行われたのではなく、消去用パスワードを知り得ない住戸内へと不法に侵入した不審者により行われたことを検出し、前述の消去画像選択要求画面をメモリ２４から読み出してモニタ２５に表示させることはなく、ゆえに、不審者自らの映像が映し出されている静止画像若しくは動画像としての録画データがメモリ２４から消去されることもないことから防犯性が高められる。
【００４２】
また、親機２のメモリ２４に保存させた前述の消去情報、または履歴を読み出すにあたり、居住者が操作部２９にて所定の読出操作を行うと、この読出操作を検出した親機ＣＰＵ２０は、メモリ２４から読み出した図２の説明図に示すような情報画面をモニタ２５に表示させることができ、この情報画面には、消去された日時、１画面の消去、１訪問分の消去、録画データ全てを消去する一括消去の何れであるのか、当該メモリの録画保存領域の空き領域が無くなり過去の録画データを親機ＣＰＵ２０が自動的に判断して消去したのか等の消去方法、消去された録画映像の枚数、その消去された録画映像が録画された日時、自動録画または手動録画であるのかを示す録画の方法、録画映像の枚数等の消去情報、または消去された録画情報として消去操作された履歴が表示されることから、メモリ２４の容量の上限を超え、過去の録画データが消去されるように更新された場合であっても、消去された過去の録画データが存在していたことの情報や履歴を容易に確認できる。
【００４３】
なお、本発明の実施例によるテレビドアホン装置においては、子機１を住戸の玄関に、親機２を住戸内にそれぞれ設置させるように戸建住宅に適用させたが、これに限定されず、子機１をマンション等の集合住宅の玄関（集合玄関、共用玄関と同意。）に、親機２（２、２、・・・）を複数の住戸の当該住戸内にそれぞれ設置させることもでき、同様な効果を奏する。
【図面の簡単な説明】
【００４４】
【図１】本発明の実施例によるテレビドアホン装置の具体的な構成を示すブロック図。
【図２】本発明の実施例によるテレビドアホン装置において、親機のモニタに表示される画面（情報画面）の一例を示す説明図。
【符号の説明】
【００４５】
１……子機
１１……カメラ
２……親機
２４……メモリ
２５……モニタ
２９……操作部
【図１】
2006254315.tif 000003
【図２】
2006254315.tif 000004